(57)【要約】      （修正有）【課題】紐状の放電電極に押し当てて清掃する清掃手段において、清掃手段の切れ込みが進んでも、清掃性能を維持しつつ寿命を延ばすこと。【解決手段】紐状の放電電極１１に接触して清掃する清掃手段は、放電電極１１の長手方向に交差する方向から放電電極１１に押し当てられ、清掃手段は、放電電極１１に清掃手段が押し当てられていない状態での放電電極１１の自然姿勢に対して、交差する方向に突出する清掃部を有し、清掃部は研磨層２２ａ，２６ａと弾性層２２ｂ，２６ｂを有し、清掃部は、放電電極１１に清掃手段が押し当てられた状態で、放電電極１１の長手方向に沿って移動可能であり、清掃手段は、放電電極１１に押し当てられて放電電極１１を摺擦する清掃部を有し、清掃部は、経時的な摺擦に伴って放電電極１１が食い込んで、放電電極１１と接触する部位が複数個所となることを特徴とする放電器。【選択図】図８
2020079869.tif 000002
【特許請求の範囲】
【請求項１】
紐状の放電電極と、
前記放電電極に接触して清掃する清掃手段と、
を備え、
前記清掃手段は、放電電極の長手方向に交差する方向から前記放電電極に押し当てられ、
前記清掃手段は、前記放電電極の押し当てられた状態で、前記放電電極の長手方向に沿って移動可能であり、
前記清掃手段は、前記放電電極に押し当てられて前記放電電極を摺擦する清掃部を有し、
前記清掃部は、経時的な摺擦に伴って前記放電電極が食い込んで、前記放電電極と接触する部位が複数個所となる
ことを特徴とする放電器。
【請求項２】
紐状の放電電極と、
前記放電電極に接触して清掃する清掃手段と、
を備え、
前記清掃手段は、放電電極の長手方向に交差する方向から前記放電電極に押し当てられ、
前記清掃手段は、前記放電電極の押し当てられた状態で、前記放電電極の長手方向に沿って移動可能であり、
前記清掃手段は、前記放電電極に対して、前記交差する方向に突出する形状の清掃部を有し、
前記清掃部は、前記放電電極との経時的な摺擦に伴って前記放電電極が食い込む
ことを特徴とする放電器。
【請求項３】
前記放電電極を挟んで対向して配置され、且つ、前記放電電極の長手方向に沿ってずれた位置に配置された複数の前記清掃手段、
を備えたことを特徴とする請求項１または２に記載の放電器。
【請求項４】
前記放電電極の長手方向に交差する方向から見た場合に、１つの角が放電電極に対向、接触する三角形状に形成された前記清掃手段、
を備えたことを特徴とする請求項１ないし３のいずれかに記載の放電器。
【請求項５】
前記放電電極に対向する角から延びる三角形の辺に沿って形成された前記清掃部、
を備えたことを特徴とする請求項４に記載の放電器。
【請求項６】
前記清掃部を挟んで前記放電電極とは反対側に配置され、前記清掃部を支持する支持部であって、放電電極の長手方向に対して中央部が前記放電電極側に突出する凸部が形成された前記支持部と、
前記支持部に支持された状態で、部分円弧状に変形する前記清掃部と、
を備えたことを特徴とする請求項１または２に記載の放電器。
【請求項７】
前記部分円弧状の清掃部において、放電電極に対向する側の面に沿って配置された前記清掃部、
を備えたことを特徴とする請求項６に記載の放電器。
【請求項８】
前記放電電極の長手方向に交差する方向から見た場合に、上底部分が放電電極に対向、接触する台形形状に形成された前記清掃手段、
を備えたことを特徴とする請求項１または２に記載の放電器。
【請求項９】
前記台形の脚辺部分に沿って形成された前記清掃部、
を備えたことを特徴とする請求項８に記載の放電器。
【請求項１０】
前記放電電極の長手方向に交差する方向から見た場合に、長方形状に形成され、且つ、１つの角が前記放電電極に対向して配置された前記清掃手段、
を備えたことを特徴とする請求項１または２に記載の放電器。
【請求項１１】
前記長方形において、対向電極に近い側の３辺に形成された前記清掃部、
を備えたことを特徴とする請求項１０に記載の放電器。
【請求項１２】
像保持手段と、
請求項１ないし１１のいずれかに記載の放電器により構成され、前記像保持手段の表面を帯電させる帯電手段と、
を備えたことを特徴とする画像形成装置。
【発明の詳細な説明】
【技術分野】
【０００１】
本発明は、放電器および画像形成装置に関する。
【背景技術】
【０００２】
従来の電子写真方式の画像形成装置において、像保持体の表面を帯電させたり、除電したり、像保持体表面のトナー像を媒体に転写したり、媒体を除電したりする際に、コロトロンやスコロトロン等の電極から放電を行う放電器が広く使用されている。放電器に関し、以下の特許文献１記載の技術が従来公知である。
【０００３】
特許文献１としての特開２００７−１２７９１７号公報には、帯電ワイヤ（Ｗ）を上下一対のクリーニングパッド（１０Ａ、１０Ｂ）で挟み込んで清掃する構成において、各クリーニングパッド（１０Ａ，１０Ｂ）が、基体（６０）、接着層（５０）、弾性体層（４０）、不織布層（３０）、研磨剤層（２０）の順に積層された構成が記載されている。
【先行技術文献】
【特許文献】
【０００４】
【特許文献１】特開２００７−１２７９１７号公報（「００１５」〜「００１９」、図２、図３）
【発明の概要】
【発明が解決しようとする課題】
【０００５】
本発明は、紐状の放電電極に押し当てて清掃する清掃手段において、清掃手段の切れ込みが進んでも、清掃性能を維持しつつ寿命を延ばすことを技術的課題とする。
【課題を解決するための手段】
【０００６】
前記技術的課題を解決するために、請求項１に記載の発明の放電器は、
紐状の放電電極と、
前記放電電極に接触して清掃する清掃手段と、
を備え、
前記清掃手段は、放電電極の長手方向に交差する方向から前記放電電極に押し当てられ、
前記清掃手段は、前記放電電極の押し当てられた状態で、前記放電電極の長手方向に沿って移動可能であり、
前記清掃手段は、前記放電電極に押し当てられて前記放電電極を摺擦する清掃部を有し、
前記清掃部は、経時的な摺擦に伴って前記放電電極が食い込んで、前記放電電極と接触する部位が複数個所となる
ことを特徴とする。
【０００７】
前記技術的課題を解決するために、請求項２に記載の発明の放電器は、
紐状の放電電極と、
前記放電電極に接触して清掃する清掃手段と、
を備え、
前記清掃手段は、放電電極の長手方向に交差する方向から前記放電電極に押し当てられ、
前記清掃手段は、前記放電電極の押し当てられた状態で、前記放電電極の長手方向に沿って移動可能であり、
前記清掃手段は、前記放電電極に対して、前記交差する方向に突出する形状の清掃部を有し、
前記清掃部は、前記放電電極との経時的な摺擦に伴って前記放電電極が食い込む
ことを特徴とする。
【０００８】
請求項３に記載の発明は、請求項１または２に記載の放電器において、
前記放電電極を挟んで対向して配置され、且つ、前記放電電極の長手方向に沿ってずれた位置に配置された複数の前記清掃手段、
を備えたことを特徴とする。
【０００９】
請求項４に記載の発明は、請求項１ないし３のいずれかに記載の放電器において、
前記放電電極の長手方向に交差する方向から見た場合に、１つの角が放電電極に対向、接触する三角形状に形成された前記清掃手段、
を備えたことを特徴とする。
【００１０】
請求項５に記載の発明は、請求項４に記載の放電器において、
前記放電電極に対向する角から延びる三角形の辺に沿って形成された前記清掃部、
を備えたことを特徴とする。
【００１１】
請求項６に記載の発明は、請求項１または２に記載の放電器において、
前記清掃部を挟んで前記放電電極とは反対側に配置され、前記清掃部を支持する支持部であって、放電電極の長手方向に対して中央部が前記放電電極側に突出する凸部が形成された前記支持部と、
前記支持部に支持された状態で、部分円弧状に変形する前記清掃部と、
を備えたことを特徴とする。
【００１２】
請求項７に記載の発明は、請求項６に記載の放電器において、
前記部分円弧状の清掃部において、放電電極に対向する側の面に沿って配置された前記清掃部、
を備えたことを特徴とする。
【００１３】
請求項８に記載の発明は、請求項１または２に記載の放電器において、
前記放電電極の長手方向に交差する方向から見た場合に、上底部分が放電電極に対向、接触する台形形状に形成された前記清掃手段、
を備えたことを特徴とする。
【００１４】
請求項９に記載の発明は、請求項８に記載の放電器において、
前記台形の脚辺部分に沿って形成された前記清掃部、
を備えたことを特徴とする。
【００１５】
請求項１０に記載の発明は、請求項１または２に記載の放電器において、
前記放電電極の長手方向に交差する方向から見た場合に、長方形状に形成され、且つ、１つの角が前記放電電極に対向して配置された前記清掃手段、
を備えたことを特徴とする。
【００１６】
請求項１１に記載の発明は、請求項１０に記載の放電器において、
前記長方形において、対向電極に近い側の３辺に形成された前記清掃部、
を備えたことを特徴とする。
【００１７】
前記技術的課題を解決するために、請求項１２に記載の発明の画像形成装置は、
像保持手段と、
請求項１ないし１１のいずれかに記載の放電器により構成され、前記像保持手段の表面を帯電させる帯電手段と、
を備えたことを特徴とする。
【発明の効果】
【００１８】
請求項１，２，１２に記載の発明によれば、紐状の放電電極に押し当てて清掃する清掃手段において、清掃手段の切れ込みが進んでも、清掃性能を維持しつつ寿命を延ばすことができる。
請求項３に記載の発明によれば、放電電極の両側を清掃できると共に、長手方向にずれていない場合に比べて長期に渡って清掃性能を維持できる。
請求項４に記載の発明によれば、三角形状の清掃手段の切れ込みが進んでも複数個所で放電電極を清掃できる。
請求項５に記載の発明によれば、三角形の辺に沿って清掃部が形成されていない場合に比べて、長期に渡って清掃性能を維持できる。
【００１９】
請求項６に記載の発明によれば、部分円弧状の清掃部の切れ込みが進んでも複数個所で放電電極を清掃できる。
請求項７に記載の発明によれば、放電電極に対向する側の面に沿って清掃部が形成されていない場合に比べて、長期に渡って清掃性能を維持できる。
請求項８に記載の発明によれば、台形状の清掃手段の切れ込みが進んでも複数個所で放電電極を清掃できる。
請求項９に記載の発明によれば、脚辺部分に清掃部が形成されていない場合に比べて、長期に渡って清掃性能を維持できる。
【００２０】
請求項１０に記載の発明によれば、１つの角が放電電極に対向する直方体状の清掃手段の切れ込みが進んでも複数個所で放電電極を清掃できる。
請求項１１に記載の発明によれば、３辺に清掃部が形成されていない場合に比べて、長期に渡って清掃性能を維持できる。
【図面の簡単な説明】
【００２１】
【図１】図１は本発明の実施例１の画像形成装置の全体説明図である。
【図２】図２は像保持体ユニットおよび現像器を有する可視像形成装置の説明図である。
【図３】図３は本発明の実施例１の帯電器の斜視説明図である。
【図４】図４は本発明の実施例１の帯電器の要部断面説明図である。
【図５】図５は図４の矢印Ｖ方向から見た図である。
【図６】図６は図５のＶＩ−ＶＩ線断面図であり、電極クリーナが基準位置に移動した状態の説明図である。
【図７】図７は図６に示す状態から電極クリーナが前方に移動した状態の説明図である。
【図８】図８は実施例１の清掃部の経時的な変化の説明図であり、図８Ａは初期状態での清掃部と放電電極との説明図、図８Ｂは経時での清掃部と放電電極との説明図である。
【図９】図９は従来の清掃部材の説明図であり、図９Ａは直方体状の清掃部材の場合の説明図、図９Ｂは特許文献１に記載の構成の説明図である。
【図１０】図１０は実施例２の清掃部材の説明図であり、実施例１の図８に対応する図である。
【図１１】図１１は実施例３の清掃部材の説明図であり、実施例１の図８に対応する図である。
【図１２】図１２は実施例４の清掃部材の説明図であり、実施例１の図８に対応する図である。
【図１３】図１３は実施例５の清掃部材の説明図であり、実施例１の図８に対応する図である。
【発明を実施するための形態】
【００２２】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２３】
図１は本発明の実施例１の画像形成装置の全体説明図である。
図１において、画像形成装置Ｕは、操作手段の一例としてのユーザインタフェースＵＩ、画像読取手段の一例としてのイメージ入力装置Ｕ１、媒体供給手段の一例としての給紙装置Ｕ２、画像形成装置の本体の一例としての画像記録装置Ｕ３、および、後処理手段の一例としての用紙処理装置Ｕ４を有している。
【００２４】
前記ユーザインタフェースＵＩは、入力手段の一例としてのコピースタートキー、テンキー等の入力キーおよび表示器ＵＩ１を有している。
前記イメージ入力装置Ｕ１は、画像読取装置の一例としてのイメージスキャナ等により構成されている。図１において、イメージ入力装置Ｕ１では、図示しない原稿を読取って画像情報に変換し、画像記録装置Ｕ３に入力する。
給紙装置Ｕ２は、複数の媒体の収容手段の一例としての給紙トレイＴＲ１〜ＴＲ４と、前記各給紙トレイＴＲ１〜ＴＲ４に収容された媒体の一例としての記録用紙Ｓが搬送される給紙路ＳＨ１等を有している。
【００２５】
図１において、画像記録装置Ｕ３は、前記給紙装置Ｕ２から搬送された記録用紙Ｓに画像記録を行う画像記録部、トナーディスペンサー装置Ｕ３ａ、および用紙搬送路ＳＨ２、用紙排出路ＳＨ３、用紙反転路ＳＨ４、用紙循環路ＳＨ６等を有している。なお、前記画像記録部については後述する。
また、画像記録装置Ｕ３は、制御手段の一例としての制御部Ｃ、および、前記制御部Ｃにより制御される潜像書込装置の駆動回路の一例としてのレーザ駆動回路Ｄ、前記制御部Ｃにより制御される電源回路Ｅ等を有している。レーザ駆動回路Ｄは、前記イメージ入力装置Ｕ１から入力されたＹ：イエロー、Ｍ：マゼンタ、Ｃ：シアン、Ｋ：黒の画像情報に応じたレーザ駆動信号を予め設定された時期に、各色の潜像形成装置ＲＯＳｙ，ＲＯＳｍ，ＲＯＳｃ，ＲＯＳｋに出力する。
潜像形成手段の一例としての潜像形成装置ＲＯＳｙ，ＲＯＳｍ，ＲＯＳｃ，ＲＯＳｋの下方には、像形成ユニット用の引出部材Ｕ３ｂが左右一対の案内部材Ｒ１，Ｒ１により、画像記録装置Ｕ３の前方に引き出された引出位置と画像記録装置Ｕ３内部に装着された装着位置との間で移動可能に支持されている。
【００２６】
図２は像保持体ユニットおよび現像器を有する可視像形成装置の説明図である。
図１、図２において、黒の像保持体ユニットＵＫは、像保持手段の一例としての感光体ドラムＰｋと、放電器の一例であって帯電手段の一例としての帯電器ＣＣｋと、像保持手段の清掃手段の一例としての感光体クリーナＣＬｋと、を有している。なお、実施例１では、帯電器ＣＣｋは、画像記録装置Ｕ３に対して着脱可能な帯電ユニットにより構成されている。そして、他の色Ｙ，Ｍ，Ｃの像保持体ユニットＵＹ，ＵＭ，ＵＣも、感光体ドラムＰｙ，Ｐｍ，Ｐｃ、放電器の一例としての帯電器ＣＣｙ，ＣＣｍ，ＣＣｃ、感光体クリーナＣＬｙ，ＣＬｍ，ＣＬｃを有している。なお、実施例１では、使用頻度の高く表面の磨耗が多いＫ色の感光体ドラムＰｋは、他の色の感光体ドラムＰｙ，Ｐｍ，Ｐｃに比べて大径に構成され、高速回転対応および長寿命化がされている。
前記各像保持体ユニットＵＹ，ＵＭ，ＵＣ，ＵＫと、現像ロールＲ０を有する現像器ＧＹ，ＧＭ，ＧＣ，ＧＫとによりトナー像形成部材ＵＹ＋ＧＹ，ＵＭ＋ＧＭ，ＵＣ＋ＧＣ，ＵＫ＋ＧＫが構成されている。前記像形成ユニット用の引出部材Ｕ３ｂには、前記像保持体ユニットＵＹ，ＵＭ，ＵＣ，ＵＫおよび現像器ＧＹ，ＧＭ，ＧＣ，ＧＫが着脱可能に装着される。
【００２７】
図１において、感光体ドラムＰｙ，Ｐｍ，Ｐｃ，Ｐｋは、それぞれ帯電器ＣＣｙ，ＣＣｍ，ＣＣｃ，ＣＣｋにより帯電された後、潜像形成装置ＲＯＳｙ，ＲＯＳｍ，ＲＯＳｃ，ＲＯＳｋの出力する潜像書込光の一例としてのレーザビームＬｙ，Ｌｍ，Ｌｃ，Ｌｋによりその表面に静電潜像が形成される。前記感光体ドラムＰｙ，Ｐｍ，Ｐｃ，Ｐｋ表面の静電潜像は、現像手段の一例としての現像器ＧＹ，ＧＭ，ＧＣ，ＧＫによりＹ：イエロー、Ｍ：マゼンタ、Ｃ：シアン、Ｋ：黒の色のトナー像に現像される。
【００２８】
感光体ドラムＰｙ，Ｐｍ，Ｐｃ，Ｐｋ表面上のトナー像は、一次転写手段の一例としての１次転写ロールＴ１ｙ，Ｔ１ｍ，Ｔ１ｃ，Ｔ１ｋにより、像保持手段の一例であって中間転写体の一例としての中間転写ベルトＢ上に順次重ねて転写され、中間転写ベルトＢ上に多色画像、いわゆる、カラー画像が形成される。中間転写ベルトＢ上に形成されたカラー画像は、２次転写領域Ｑ４に搬送される。
なお、黒画像データのみの場合はＫ：黒の感光体ドラムＰｋおよび現像器ＧＫのみが使用され、黒のトナー像のみが形成される。
１次転写後、感光体ドラムＰｙ，Ｐｍ，Ｐｃ，Ｐｋ表面の残留トナーは感光体ドラム用のクリーナＣＬｙ，ＣＬｍ，ＣＬｃ，ＣＬｋによりクリーニングされる。
【００２９】
前記像形成ユニット用の引出部材Ｕ３ｂの下方には、中間転写体用の引出部材Ｕ３ｃが画像記録装置Ｕ３の前方に引き出された引出位置と画像記録装置Ｕ３内部に装着された装着位置との間で移動可能に支持されている。前記中間転写体用の引出部材Ｕ３ｃには、中間転写手段の一例としてのベルトモジュールＢＭが、前記感光体ドラムＰｙ，Ｐｍ，Ｐｃ，Ｐｋの下面に接触する上昇位置と前記下面から下方に離れた下降位置との間で昇降可能に支持されている。
前記ベルトモジュールＢＭは、前記中間転写ベルトＢと、駆動手段の一例としてのベルト駆動ロールＲｄと、張架手段の一例としてのテンションロールＲｔと、蛇行防止手段の一例としてのウォーキングロールＲｗと、従動手段の一例としての複数のアイドラロールＲｆと、２次転写領域Ｑ４の対向手段の一例としてのバックアップロールＴ２ａと、１次転写ロールＴ１ｙ，Ｔ１ｍ，Ｔ１ｃ，Ｔ１ｋとを有する。そして、前記中間転写ベルトＢは、前記ベルト支持ロールＲｄ，Ｒｔ，Ｒｗ，Ｒｆ，Ｔ２ａにより矢印Ｙａ方向に回転移動可能に支持されている。
【００３０】
前記バックアップロールＴ２ａの下方には２次転写ユニットＵｔが配置されている。２次転写ユニットＵｔは、二次転写部材の一例としての２次転写ロールＴ２ｂを有する。２次転写ロールＴ２ｂは、前記中間転写ベルトＢを挟んでバックアップロールＴ２ａに離隔および接触可能に配置されており、前記２次転写ロールＴ２ｂが中間転写ベルトＢと接触する領域により２次転写領域Ｑ４が形成されている。また、前記バックアップロールＴ２ａには、電圧印加手段の一例としてのコンタクトロールＴ２ｃが接触しており、前記各ロールＴ２ａ〜Ｔ２ｃにより、２次転写手段の一例としての２次転写器Ｔ２が構成されている。
前記コンタクトロールＴ２ｃには制御部Ｃにより制御される電源回路から予め設定された時期に、トナーの帯電極性と同極性の２次転写電圧が印加される。
【００３１】
前記ベルトモジュールＢＭ下方には用紙搬送路ＳＨ２が配置されている。前記給紙装置Ｕ２の給紙路ＳＨ１から給紙された記録用紙Ｓは、前記用紙搬送路ＳＨ２に搬送され、給紙時期の調節手段の一例としてのレジロールＲｒにより、トナー像が２次転写領域Ｑ４に搬送されるのに時期を合わせて、転写前の媒体案内部材ＳＧｒ，ＳＧ１を通って２次転写領域Ｑ４に搬送される。
前記中間転写ベルトＢ上のトナー像は、前記２次転写領域Ｑ４を通過する際に前記２次転写器Ｔ２により前記記録用紙Ｓに転写される。なお、フルカラー画像の場合は中間転写ベルトＢ表面に重ねて１次転写されたトナー像が一括して記録用紙Ｓに２次転写される。
【００３２】
２次転写後の前記中間転写ベルトＢは、中間転写体用の清掃手段の一例としてのベルトクリーナＣＬＢにより清掃、すなわち、クリーニングされる。
前記１次転写ロールＴ１ｙ，Ｔ１ｍ，Ｔ１ｃ，Ｔ１ｋ、中間転写ベルトＢ、２次転写器Ｔ２、ベルトクリーナＣＬＢ等により、感光体ドラムＰｙ〜Ｐｋ表面の画像を記録用紙Ｓに転写する転写装置（転写手段の一例）Ｔ１＋Ｂ＋Ｔ２＋ＣＬＢが構成されている。
【００３３】
トナー像が２次転写された前記記録用紙Ｓは、転写後の媒体案内部材ＳＧ２、定着前の媒体搬送部材の一例としての用紙搬送ベルトＢＨを通って定着装置Ｆに搬送される。定着手段の一例としての定着装置Ｆは、加熱定着手段の一例としての加熱ロールＦｈと、加圧定着手段の一例としての加圧ロールＦｐとを有し、加熱ロールＦｈと加圧ロールＦｐとが接触する領域により定着領域Ｑ５が形成されている。
前記記録用紙Ｓ上のトナー像は定着領域Ｑ５を通過する際に定着装置Ｆにより加熱定着される。
前記トナー像形成部材ＵＹ＋ＧＹ，ＵＭ＋ＧＭ，ＵＣ＋ＧＣ，ＵＫ＋ＧＫや転写装置Ｔ１＋Ｂ＋Ｔ２＋ＣＬＢ、定着装置等により、記録用紙Ｓに画像を記録する実施例１の画像記録部が構成されている。
【００３４】
前記定着装置Ｆの下流側には搬送路の切替手段の一例としての第１ゲートＧＴ１が設けられている。前記第１ゲートＧＴ１は用紙搬送路ＳＨ２を搬送されて定着領域Ｑ５で加熱定着された記録用紙Ｓを、用紙処理装置Ｕ４の用紙排出路ＳＨ３または用紙反転路ＳＨ４側のいずれかに選択的に切り替える。前記用紙排出路ＳＨ３に搬送された用紙Ｓは、用紙処理装置Ｕ４の用紙搬送路ＳＨ５に搬送される。
【００３５】
用紙搬送路ＳＨ５の途中には、湾曲補正手段の一例としてのカール補正装置Ｕ４ａが配置されており、前記用紙搬送路ＳＨ５には、搬送路の切替手段の一例としての第２ゲートＧ４が配置されている。前記第２ゲートＧ４は、前記画像記録装置Ｕ３の用紙排出路ＳＨ３から搬送された記録用紙Ｓを、湾曲、いわゆる、カールの方向に応じて、第１カール補正部材ｈ１または第２カール補正部材ｈ２のいずれかの側に搬送する。前記第１カール補正部材ｈ１または第２カール補正部材ｈ２に搬送された記録用紙Ｓは、通過時にカールが補正される。カールが補正された記録用紙Ｓは、排出手段の一例としての排出ロールＲｈから用紙処理装置Ｕ４の排出部の一例としての排出トレイＴＨ１に用紙の画像定着面が上向きの状態、いわゆる、フェイスアップ状態で排出される。
【００３６】
前記第１ゲートＧＴ１により画像記録装置Ｕ３の前記用紙反転路ＳＨ４側に搬送された用紙Ｓは、弾性薄膜状部材により構成された搬送方向の規制手段、いわゆる、マイラーゲートＧＴ２を押しのける形で通過して、画像記録装置Ｕ３の前記用紙反転路ＳＨ４に搬送される。
前記画像記録装置Ｕ３の用紙反転路ＳＨ４の下流端には、用紙循環路ＳＨ６および用紙反転路ＳＨ７が接続されており、その接続部にもマイラーゲートＧＴ３が配置されている。前記第１ゲートＧＴ１を通って用紙反転路ＳＨ４に搬送された用紙は、前記マイラーゲートＧＴ３を通過して前記用紙処理装置Ｕ４の用紙反転路ＳＨ７側に搬送される。両面印刷を行う場合には、用紙反転路ＳＨ４を搬送されてきた記録用紙Ｓは、前記マイラーゲートＧＴ３を通過して、用紙反転路ＳＨ７に搬送された後、逆方向に搬送、いわゆる、スイッチバックさせられると、マイラーゲートＧＴ３により搬送方向が規制され、スイッチバックした記録用紙Ｓが用紙循環路ＳＨ６側に搬送される。前記用紙循環路ＳＨ６に搬送された記録用紙Ｓは前記給紙路ＳＨ１を通って２次転写領域Ｑ４に再送される。
【００３７】
一方、用紙反転路ＳＨ４を搬送される記録用紙Ｓを、記録用紙Ｓの後端がマイラーゲートＧＴ２を通過後、マイラーゲートＧＴ３を通過する前に、スイッチバックすると、マイラーゲートＧＴ２により記録用紙Ｓの搬送方向が規制され、記録用紙Ｓは表裏が反転された状態で用紙搬送路ＳＨ５に搬送される。表裏が反転された記録用紙Ｓは、カール補正装置Ｕ４ａによりカールが補正された後、前記用紙処理装置Ｕ４の用紙排出トレイＴＨ１に、用紙Ｓの画像定着面が下向きの状態、いわゆる、フェイスダウン状態で排出することができる。
前記符号ＳＨ１〜ＳＨ７で示された要素により用紙搬送路ＳＨが構成されている。また、前記符号ＳＨ，Ｒａ，Ｒｒ，Ｒｈ，ＳＧｒ，ＳＧ１，ＳＧ２，ＢＨ，ＧＴ１〜ＧＴ３で示された要素により用紙搬送装置ＳＵが構成されている。
【００３８】
（帯電器の説明）
図３は本発明の実施例１の帯電器の斜視説明図である。
図４は本発明の実施例１の帯電器の要部断面説明図である。
図５は図４の矢印Ｖ方向から見た図である。
図６は図５のＶＩ−ＶＩ線断面図であり、電極クリーナが基準位置に移動した状態の説明図である。
図７は図６に示す状態から電極クリーナが前方に移動した状態の説明図である。
なお、図４において、発明を理解しやすくするためにシールド電極の一部の図示を省略している。
また、次に、実施例１の帯電器の説明を行うが、Ｙ，Ｍ，Ｃ，Ｋの各色の帯電器ＣＣｙ〜ＣＣｋは、同様に構成されているため、Ｋ色の帯電器ＣＣｋについて詳細に説明し、その他の色の帯電器ＣＣｙ〜ＣＣｃについては詳細な説明は省略する。
【００３９】
図２、図３、図４において、実施例１の帯電器ＣＣｋは、放電器本体の一例として、前後方向に延びる帯電器本体１を有する。前記帯電器本体１は、第２の電極部材の一例として、前後方向に延び且つ感光体ドラムＰｋ側が開放されたコの型の導電性金属材料により構成されたシールド電極２を有する。前記シールド電極２は、前後方向に延びる板状の上壁部２ａと、上壁部２ａの左右両側から下方に延びる板状の左壁部２ｂおよび右壁部２ｃと、を有する。上壁部２ａの左部には、前後方向に延びる開口２ｄが形成されている。
前記シールド電極２の後端には、一端部材の一例としての後端ブロック３が支持されており、シールド電極２の前端には、他端部材の一例としての前端ブロック４が支持されている。前後の各ブロック３，４の右上部には、清掃移動部材用の支持体の一例として、前後方向に延びる筒状のシャフト受け部３ａ，４ａが形成されている。
【００４０】
前記シャフト受け部３ａ，４ａには、回転部材の一例として、前後方向に延びるシャフト６が回転可能に支持されている。シャフト６の外周面には、ネジ６ａが形成されている。シャフト６の後端部は、後側のシャフト受け部４ａを貫通して後方に延びており、後端には、被伝達部材の一例としての従動カップリング７が支持されている。従動カップリング７は、帯電器ＣＣｋが画像記録装置Ｕ３に装着された場合に、画像記録装置Ｕ３に回転可能に支持された伝達部材の一例としての駆動カップリング８に噛み合った状態で支持される。駆動カップリング８には、電極清掃部材の駆動源の一例として、画像記録装置Ｕ３に支持された正逆回転可能な電極クリーナ用のモータ９からの駆動が伝達可能に構成されている。
【００４１】
図２〜図７において、前記帯電器本体１の内部には、放電電極の一例として、前後方向に延びる線材により構成され、前後両端が各ブロック３，４に支持されたワイヤ電極１１が配置されている。実施例１のワイヤ電極１１は、感光体ドラムＰｋの表面の回転方向に沿って間隔をあけて配置され、前後方向に並行して延びる一対の第１ワイヤ１１ａおよび第２ワイヤ１１ｂを有する。
前記シールド電極２の下側の開口位置であってワイヤ電極１１と感光体ドラムＰｋとの間、すなわち、感光体ドラムＰｋとの対向領域である帯電領域Ｑ１側には、電極部材の一例としてのグリッド電極１２が支持されている。グリッド電極１２は、網状に形成されている。前記グリッド電極１２は、前後両端が各ブロック３，４に張架された状態で支持される。
【００４２】
前記各電極２，１１，１２には、電源回路Ｅから放電用の電圧が印加され、ワイヤ電極１１とシールド電極２およびグリッド電極１２との電位差に伴って、ワイヤ電極１１から放出された電子により感光体ドラムＰｋの表面が帯電される。なお、実施例１では、ワイヤ電極１１に高電圧が印加され、感光体ドラムＰｋの表面の目的の帯電電圧に応じた電圧がグリッド電極１２に印加されており、グリッド電極１２に印加される電圧により、ワイヤ電極１１の放電が制御されて、感光体ドラムＰｋの表面の帯電電圧が制御される。
【００４３】
図４〜図７において、帯電器本体１の内部において、ワイヤ電極１１と、シールド電極２およびグリッド電極１２との間には、放電器の清掃手段の一例としての電極クリーナ１６が配置されている。電極クリーナ１６は、第１の清掃枠体の一例としてのスライダフレーム１７を有する。実施例１のスライダフレーム１７は、絶縁材料により構成されている。また、スライダフレーム１７は、シールド電極２の内周面に沿った形状で、下方が開放された角筒状に形成されている。
上スライダフレーム１７の右下端には、連結部の一例としてのアーム部１８が形成されている。アーム部１８は、シールド電極２の右壁部２ｃの下端を回り込むようにＵ字状に形成されている。
アーム部１８の上端には、連動部の一例としてのシャフト貫通部１９が形成されている。シャフト貫通部１９は、シャフト６が内部を貫通する円筒状に形成されている。シャフト貫通部１９の内部には、シャフト６のネジ６ａと噛み合うネジ１９ａが形成されている。したがって、シャフト６が正逆回転すると、ネジ６ａ，１９ａを介してアーム部１８がシャフト６に沿って前後方向、すなわち、基準位置の一例としての後端のホームポジションに対して、離れる方向である前方や近づく方向である後方に移動し、電極クリーナ１６が前後方向に移動するように構成されている。
前記シャフト６やアーム部１８、シャフト貫通部１９等により、実施例１の清掃移動部材６＋１８＋１９が構成されている。
【００４４】
前記上スライダフレーム１７の下部には、第２の清掃枠体の一例として、上方が開放されたＵ字状の下スライダフレーム２１が支持されている。図６において、下スライダフレーム２１の前端部には、第３の清掃支持部の一例としてのグリッドクリーナ支持部２１ａが形成されている。グリッドクリーナ支持部２１ａは、下方のグリッド電極１２に向けて凹んだ形状に形成されている。前記グリッドクリーナ支持部２１ａの下面には、第３の清掃部の一例としてのグリッドクリーナ２０が支持されている。グリッドクリーナ２０は、グリッド電極１２に対向、接触した状態で支持され、電極クリーナ１６の前後方向の往復移動に応じて、グリッド電極１２を清掃可能に構成されている。実施例１のグリッドクリーナ２０は、基布に清掃用の毛が植毛されたいわゆるブラシ状に構成されているが、これに限定されず、布状の構成とする等、清掃可能な任意の構成とすることが可能である。なお、グリッドクリーナについては、例えば、特開２００６−９１４５６号公報等に記載されており、従来公知の種々の構成を採用可能であるため、詳細な説明は省略する。
【００４５】
図６、図７において、下スライダフレーム２１の前後方向中央部の上面には、清掃部の一例としての下ワイヤクリーナ２２が支持されている。下ワイヤクリーナ２２は、ワイヤ電極１１に対して対向して配置されている。図６に示すように、下ワイヤクリーナ２２は、電極クリーナ１６が基準位置の一例としてのホームポジションに移動した状態では、ワイヤ電極１１に対して離間した状態となる位置に配置されている。そして、実施例１の下ワイヤクリーナ２２は、図６や図７の２点鎖線に示すワイヤ電極１１の自然姿勢に対して、交差する方向である上に凸状の蒲鉾形状に形成されている。
実施例１の下ワイヤクリーナ２２は、基部の一例としての蒲鉾状の弾性層２２ｂと、弾性層２２ｂの外表面に配置された清掃部本体の一例としての表面の研磨層２２ａとを有する。実施例１の弾性層２２ｂは、弾性材料の一例としてのスポンジで形成されているが、これに限定されず、任意の材料で構成可能である。
【００４６】
また、前記下スライダフレーム２１の下面には、下方に延びる板状の被検知部２１ｂが形成されている。電極クリーナ１６が、図６に示す初期位置の一例としてのホームポジションに移動した状態における被検知部２１ｂに対応する位置には、検知部材の一例としての光センサＳＮ１が配置されている。光センサＳＮ１は、被検知部２１ｂを検知することで電極クリーナ１６がホームポジションに移動したことを検知可能である。
【００４７】
図５、図６において、前記上スライダフレーム１７の内面には、左右方向の内側に延びる左右一対の軸部２３が支持されている。前記軸部２３の内側には、第１の清掃部材の支持体の一例としての上クリーナ支持体２４が配置されている。上クリーナ支持体２４は、軸部２３に回転可能に支持される左右一対の回転中心部２４ａと、連結部の一例として回転中心部から前方に延びる左右一対のアームプレート部２４ｂと、アームプレート部２４ｂどうしの前端を接続して左右方向に延びる板状の支持体本体２４ｃと、を有する。
前記アームプレート部２４ｂの下面には、下方に膨らんだ扇形状の離間用の被接触部２４ｄが形成されている。被接触部２４ｄは、後端ブロック３から電極クリーナ１６内に延びる左右一対の離間用の接触部２７に接触可能に構成されている。
【００４８】
前記支持体本体２４ｃの下面には、清掃部の一例としての上ワイヤクリーナ２６が支持されている。上ワイヤクリーナ２６は、ワイヤ電極１１に対向して配置されている。実施例１の上ワイヤクリーナ２６は、下ワイヤクリーナ２６と上下対称な形状に形成されており、下に凸の蒲鉾形状に形成されている。
また、実施例１の軸部２３には、上クリーナ支持体２４の前端を下方に回転させる方向、すなわち、上ワイヤクリーナ２６をワイヤ電極１１に接近させる方向に付勢する付勢手段の一例としてのネジリバネ２８が装着されている。
【００４９】
図６に示す基準位置では、被接触部２４ｄが接触部２７に接触して、ネジリバネ２８を弾性変形させてワイヤ電極１１と上ワイヤクリーナ２６とが離間した状態となる。
そして、電極クリーナ用のモータ９が駆動して、電極クリーナ１６が前方に移動すると、図７に示すように、被接触部２４ｄと接触部２７との接触が解除されて、上クリーナ支持体２４の自重やネジリバネ２８の弾性力により、上ワイヤクリーナ２６がワイヤ電極１１に上方から押し当てられる。このとき、上ワイヤクリーナ２６によりワイヤ電極１１が下方に押されて、二点鎖線で示す基準位置におけるワイヤ電極１１の位置に対して、下方に移動する。したがって、図７に示すように、ワイヤ電極１１の下面が下ワイヤクリーナ２２に接触する。したがって、実施例１のワイヤクリーナ２２，２６は、ワイヤ電極１１の長手方向（前後方向）に交差する方向（上下方向）からワイヤ電極１１に押し当てられる。なお、上下のワイヤクリーナ２２，２６のバランスおよびワイヤ電極１１の張力により、ワイヤ電極１１に上下のワイヤクリーナ２２，２６が予め設定された接触圧力で接触する。
そして、ワイヤ電極１１にワイヤクリーナ２２，２６が押し当てられた状態で、電極クリーナ１６が前後方向（ワイヤ電極１１の長手方向）に往復移動することで、ワイヤ電極１１が研磨層２２ａ，２６ａで摺擦される。したがって、ワイヤ電極１１に付着した放電生成物等の付着物が擦り落とされて（研磨されて）、清掃が行われる。
【００５０】
なお、電極クリーナ１６が帯電器ＣＣｋの前端に到達したことの検出は、従来公知であり、センサを配置して検出する等、任意の方法を採用可能であるため、詳細な説明は省略する。そして、清掃が終了すると、電極クリーナ１６がホームポジションに戻る。
前記上クリーナ支持体２４や被接触部２４ｄ、接触部２７、ネジリバネ２８等により、実施例１の清掃接触機構２４＋２７＋２８が構成されている。
また、符号１７〜２８が付された各部材により、実施例１の電極クリーナ１６が構成されている。
【００５１】
図２において、実施例１の画像形成装置Ｕでは、帯電器ＣＣｙ〜ＣＣｋの上方には、空気流入口３１を有する第１空気流路Ｄ１が配置され、現像器ＧＹ〜ＧＫの上方には空気排出口３２を有する第２空気流路Ｄ２が配置されている。画像形成装置Ｕ内部には、図示しない排出装置の一例としての送風機が配置されており、前記空気流入口３１から空気を流出させて、開口２ｄを介して帯電器ＣＣｙ〜ＣＣｋの内部を通過させ、放電時に発生し電極クリーナ１６で清掃された放電生成物等の汚れを、空気と共に空気排出口３２に流入させて、清浄器、いわゆるフィルターで清浄化して外気に放出する。このとき、実施例１では、効率的に帯電器ＣＣｙ〜ＣＣｋ内部の空気が入れ換えが行われるように、空気排出口３２から離れた側である左側に開口２ｄが形成されている。すなわち、開口２ｄが右側に形成された場合には、帯電器ＣＣｙ〜ＣＣｋ内部の左側の空気が滞留して入れ換えられにくいが、左側に形成することで、効率的な空気の入れ換えが実現されている。
【００５２】
なお、実施例１では、前記電極クリーナ１６が前後方向に往復移動してワイヤ電極１１やグリッド電極１２を清掃する清掃動作は、感光体ドラムＰｙ〜Ｐｋの帯電が行われていない状態、すなわち、画像形成動作が実行されていない状態で行われる。そして、清掃動作が実行中、すなわち電極クリーナ１６が往復移動中は、排出装置が作動し、電極クリーナ１６が清掃した汚れを吸引して排出するように構成されている。
なお、実施例１の画像形成装置Ｕでは、清掃動作は、累積印刷枚数が、予め設定された枚数の一例としての１０００枚になる度に実行されるように設定されているが、これに限定されず、画像形成動作の終了後や、画像形成装置Ｕの電源投入時、予め設定された時刻等、任意の時期に実行することが可能である。
【００５３】
（実施例１の作用）
図８は実施例１の清掃部の経時的な変化の説明図であり、図８Ａは初期状態での清掃部と放電電極との説明図、図８Ｂは経時での清掃部と放電電極との説明図である。
前記構成を備えた本発明の実施例１の画像形成装置Ｕでは、ワイヤ電極１１と対向電極部材２＋１２とに電圧が印加されると、各ワイヤ１１ａ，１１ｂから電子が放出され、感光体ドラムＰｙ〜Ｐｋ表面が帯電される。
帯電器ＣＣｙ〜ＣＣｋの清掃動作が開始されると、電極クリーナ１６のワイヤクリーナ２２，２６がワイヤ電極１１に押し当てられた状態で、ワイヤ電極１１の長手方向に沿って移動する。したがって、ワイヤ電極１１に付着した放電生成物等が擦り落とされる。清掃動作の回数が少ない初期では、図８Ａに示すように、ワイヤクリーナ２２，２６は研磨層２２ａ，２６ａの外表面に押し当てられた状態で研磨される。そして、清掃動作が繰り返し行われると、経時的にワイヤクリーナ２２，２６の研磨層２２ａが摩耗する。この時、研磨層２２ａは、ワイヤ電極１１が接触する特定の位置が局所的に摩耗して、図８Ｂに示すように、ワイヤ電極１１がワイヤクリーナ２２，２６に食い込むようになる。
【００５４】
図９は従来の清掃部材の説明図であり、図９Ａは直方体状の清掃部材の場合の説明図、図９Ｂは特許文献１に記載の構成の説明図である。
図９Ａにおいて、従来の直方体状の清掃部材０１では、図９Ａの破線で示すようにワイヤ電極０２の自然状態に対して、研磨層０３が１回しか交差しない。したがって、ワイヤ電極０２が食い込んでいくにつれて、ワイヤ電極０２の張力が低下すると共に、研磨層０３がワイヤ電極０２に接触する線状の領域がほとんど増えず、最終的には研磨層０３を通過して清掃できなくなる。したがって、ワイヤ電極０２の清掃能力が低下する問題がある。
図９Ｂに示す形態では、図９Ｂの破線で示すように、ワイヤ電極０２の自然姿勢に対して研磨層０３が交差しない。したがって、経時的にワイヤ電極０２が食い込んでいくと、研磨層０３をワイヤ電極０２が通過してしまい、清掃できなくなる問題がある。特に、従来技術に記載の構成では、ワイヤ電極０２と清掃部材０１とが１点で接触し、ワイヤ電極０２の張力が１点に集中するため、切れ込み速度が高まりやすい。そして、切れ込みが進むと研磨層０３を貫通して、更にスポンジ層を貫通して、最悪の場合、台座の樹脂に接触してワイヤ電極０２が切れてしまう恐れもある。
【００５５】
これに対して、実施例１では、ワイヤ電極１１が経時的に食い込んでも研磨層２２ａ，２６ａが複数回交差するように設定されている。したがって、研磨層２２ａ，２６ａとワイヤ電極１１との接触領域が十分に確保されやすく、ワイヤ電極１１の清掃能力を維持することが可能である。また、実施例１では、図８の破線で示すように、最もワイヤ電極１１の食い込みが進んだ状態でも、研磨層２２ａ，２６ａとワイヤ電極１１との接触が維持されている。したがって、従来の構成に比べて、ワイヤ電極１１の食い込みが最も進むまでの長期にわたって清掃能力が維持可能であり、電極クリーナ１６の寿命も長くなっている。
なお、ワイヤ電極１１が経時的にワイヤクリーナ２２，２６に食い込むことで、ワイヤ電極１１の張力が低下していき、研磨層２２ａ，２６ａに対する接触力が低下して、清掃能力が低下する。従来技術では、張力の低下が清掃能力の低下に繋がっていたが、実施例１では、研磨層２２ａ，２６ａと複数個所で接触させることで、接触箇所が一か所の従来技術に比べて、清掃能力を高くすることが可能である。なお、弾性層２２ｂ，２６ｂがワイヤ電極１１と擦れることで、ワイヤ電極１１が少なからず清掃可能であるが、研磨層２２ａ，２６ａに比べると清掃性能は低い。
【００５６】
また、実施例１では、ワイヤクリーナ２２，２６が、ワイヤ電極１１に対して、上下両方から対向して配置されると共に、長手方向に沿ってずれた位置に配置されている。仮に、長手方向で同じ位置で挟み込むように配置されると、経時的にワイヤ電極１１が一方のワイヤクリーナに食い込み、他方のワイヤクリーナは全く清掃しなくなり、ワイヤ電極１１の他方の側の清掃が不十分になる問題がある。これに対して、実施例１では、ワイヤクリーナ２２，２６の全面を清掃可能であると共に、経時的に清掃能力を維持可能である。
【００５７】
また、実施例１では、電極クリーナ１６が往復移動する際に、ブラシ状のグリッドクリーナ２０がグリッド電極１２の表面に付着した放電生成物等の汚れを除去する。除去された汚れは、グリッドクリーナ２０に付着したり、感光体ドラムＰｙ〜Ｐｋの表面に落下したりする。このとき、実施例１では、電極クリーナ１６の往復移動中に、送風機が作動しており、感光体ドラムＰｙ〜Ｐｋに落下する途中や落下した汚れが、空気と共に排気され、回収される。したがって、感光体ドラムＰｙ〜Ｐｋの表面に汚れが付着して帯電不良が発生することが低減される。
【実施例２】
【００５８】
図１０は実施例２の清掃部材の説明図であり、実施例１の図８に対応する図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００５９】
図１０において、実施例２の電極クリーナ１６では、各ワイヤクリーナ１２２，１２６は、ワイヤ電極１１の長手方向に交差する方向から見た場合に、１つの角１２２ｃ，１２６ｃがワイヤ電極１１に対向、接触する三角形状に形成されている。なお、研磨層１２２ａ，１２６ａは、角１２２ｃ，１２６ｃを挟む２辺に形成されている。
【００６０】
（実施例２の作用）
前記構成を備えた実施例２の帯電器ＣＣｙ〜ＣＣｋでは、実施例１と同様に、経時的にワイヤ電極１１が食い込んでも、複数の箇所で研磨層１２２ａ，１２６ａがワイヤ電極１１に接触する。したがって、長期にわたって清掃能力を維持可能である。特に、実施例２では、三角形の２辺に沿って、ワイヤ電極１１から遠い側の端まで研磨層１２２ａ，１２６ａが形成されている。したがって、２辺の途中までしか研磨層１２２ａ，１２６ａが形成されていない場合に比べて、長期に渡って清掃能力を維持可能である。
【実施例３】
【００６１】
図１１は実施例３の清掃部材の説明図であり、実施例１の図８に対応する図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
【００６２】
図１１において、実施例３の電極クリーナ１６では、各ワイヤクリーナ２２２，２２６は、ワイヤ電極１１の長手方向に交差する方向から見た場合に、支持部の一例としての下スライダフレーム２１や、支持部の一例としての上クリーナ支持体２４に、凸部２１ｅ，２４ｅが形成されている。実施例３の凸部２１ｅ，２４ｅは、ワイヤ電極１１の長手方向に対して中央部がワイヤ電極１１側に突出している。特に、実施例３の凸部２１ｅ，２４ｅが外表面が部分円弧状に形成されている。
また、実施例３では、直方体状のワイヤクリーナ２２２，２２６が凸状の凸部２１ｅ，２４ｅの表面に沿って支持されることで、結果として、ワイヤ電極１１側に弧状に湾曲した状態、変形した状態で配置される。特に、実施例３のワイヤクリーナ２２２，２２６は、研磨層２２２ａ，２２６ａは、直方体のワイヤ電極１１に対向する面に沿って一端から他端まで形成されている。したがって、弧状に湾曲した状態でも、弧状の一端から他端まで研磨層２２２ａ，２２６ａが配置される。
【００６３】
（実施例３の作用）
前記構成を備えた実施例３の帯電器ＣＣｙ〜ＣＣｋでは、実施例１，２と同様に、経時的にワイヤ電極１１が食い込んでも、複数の箇所で研磨層２２２ａ，２２６ａがワイヤ電極１１に接触する。したがって、長期にわたって清掃能力を維持可能である。また、実施例３では、ワイヤクリーナ２２２，２２６自体は直方体状に形成されている。したがって、特殊な外形形状に形成する必要がなく、製造費用の削減も期待される。
【実施例４】
【００６４】
図１２は実施例４の清掃部材の説明図であり、実施例１の図８に対応する図である。
なお、この実施例４の説明において、前記実施例１の構成要素に対応する構成要素には同一の符号を付して、その詳細な説明を省略する。
この実施例４は、下記の点で前記実施例１と相違しているが、他の点では前記実施例１と同様に構成されている。
【００６５】
図１２において、実施例４の電極クリーナ１６では、各ワイヤクリーナ３２２，３２６は、ワイヤ電極１１の長手方向に交差する方向から見た場合に、上底部分３２２ｃ，３２６ｃが放電電極１１に対向、接触する台形形状に形成されている。なお、実施例４の研磨層３２２ａ，３２６ａは、大径の脚辺部分３２２ｄ，３２６ｄに沿って、下端（ワイヤ電極１１から遠い側の端）まで形成されている。
【００６６】
（実施例４の作用）
前記構成を備えた実施例４の帯電器ＣＣｙ〜ＣＣｋでは、実施例１と同様に、経時的にワイヤ電極１１が食い込んでも、複数の箇所で研磨層３２２ａ，３２６ａがワイヤ電極１１に接触する。したがって、長期にわたって清掃能力を維持可能である。特に、実施例４では、台形の脚辺部分３２２ｄ，３２６ｄに沿って、ワイヤ電極１１から遠い側の端まで研磨層３２２ａ，３２６ａが形成されている。したがって、脚辺部分３２２ｄ，３２６ｄの途中までしか研磨層３２２ａ，３２６ａが形成されていない場合に比べて、長期に渡って清掃能力を維持可能である。
【実施例５】
【００６７】
図１３は実施例５の清掃部材の説明図であり、実施例１の図８に対応する図である。
なお、この実施例５の説明において、前記実施例１の構成要素に対応する構成要素には同一の符号を付して、その詳細な説明を省略する。
この実施例５は、下記の点で前記実施例１と相違しているが、他の点では前記実施例１と同様に構成されている。
【００６８】
図１３において、実施例５の電極クリーナ１６では、各ワイヤクリーナ４２２，４２６は、ワイヤ電極１１の長手方向に交差する方向から見た場合に、長方形状に形成され、且つ、１つの角４２２ｃ，４２６ｃがワイヤ電極１１に対向して配置されている。なお、実施例５の研磨層４２２ａ，４２６ａは、ワイヤ電極１１に近い側の３辺に沿って形成されている。
【００６９】
（実施例５の作用）
前記構成を備えた実施例５の帯電器ＣＣｙ〜ＣＣｋでは、実施例１と同様に、経時的にワイヤ電極１１が食い込んでも、図１３に示すように複数の箇所で研磨層４２２ａ，４２６ａがワイヤ電極１１に接触する。したがって、長期にわたって清掃能力を維持可能である。特に、実施例５では、直方体の３辺に沿って研磨層４２２ａ，４２６ａが形成されている。したがって、ワイヤ電極１１が食い込んでいっても、複数の箇所で研磨層４２２ａ，４２６ａとワイヤ電極１１とが接触しやすい。したがって、３辺に研磨層４２２ａ，４２６ａが形成されていない場合に比べて、長期に渡って清掃能力を維持可能である。
【００７０】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ013）を下記に例示する。
（Ｈ01）前記実施例において、画像形成装置の一例としての複写機に限定されず、プリンタ、ＦＡＸ等の画像形成装置にも適用可能である。また、カラーの画像形成装置に限定されず、モノクロの画像形成装置にも適用可能である。さらに、タンデム型の画像形成装置に限定されず、ロータリ型の画像形成装置にも適用可能である。
【００７１】
（Ｈ02）前記実施例において、ワイヤ電極１１は、２本の線材の場合を例示したが、これに限定されず、１本または３本以上の線材を有する構成等とすることも可能である。
（Ｈ03）前記実施例において、シールド電極２を有しない構成とすることが可能である。
（Ｈ04）前記実施例において、ワイヤ電極１１に対してワイヤクリーナ２２，２６が接触、離間する構成を例示したが、ワイヤクリーナ２２，２６がワイヤ電極１１に常時接触する構成を採用することも可能である。
【００７２】
（Ｈ05）前記実施例において、放電器の一例としての帯電器を例示したが、これに限定されず、放電器の他の例としての感光体ドラムＰｙ〜Ｐｋや記録用紙Ｓの除電器や補助帯電器、転写器Ｔ１ｙ〜Ｔ１ｋ，Ｔ２等としても使用可能である。
（Ｈ06）前記実施例において、電極クリーナ１６を前後方向に移動させるための構成は、例示したシャフト６を使用する構成に限定されず、前後方向に移動可能な任意の構成を採用可能である。
（Ｈ07）前記実施例において、被検知部２１ｂおよび光センサＳＮ１を配置する位置は、実施例に例示した位置に限定されず、前後方向や左右方向の位置をずらす等、任意の位置に変更可能である。他にも、例えば、被検知部２１ｂを帯電器本体１の外部に突出させて、光センサＳＮ１を帯電器ＣＣｙ〜ＣＣｋのユニットに配置せず、感光体ドラムＰｙ〜Ｐｋ側に配置したり、画像記録装置Ｕ３に配置して検知を行う構成とすることも可能である。
【００７３】
（Ｈ08）前記実施例において、グリッドクリーナ２０の構成は実施例に例示した構成に限定されず、設計等に応じて任意の構成を採用可能である。例えば、ブラシや布等の構成も任意の清掃可能な構成、例えば、スポンジ等に変更可能である。さらに、シールド電極２の内周面に接触する清掃部を設けてシールド電極２も清掃可能としたり、グリッド電極１２の下面に接触する清掃部材を設けて、グリッド電極１２の両面を清掃可能な構成とすることも可能である。
（Ｈ09）前記実施例において、各研磨層２２ａ，２６ａ，１２２ａ，１２６ａ，２２２ａ，２２６ａ，３２２ａ，３２６ａ，４２２ａ，４２６ａは、ワイヤ電極１１から遠い側の端部まで形成された構成とすることが望ましいが、設計や仕様等に応じて、途中までの構成とすることも可能である。
【００７４】
（Ｈ010）前記実施例において、ワイヤクリーナ２２，２６，１２２，１２６，２２２，２２６，３２２，３２６，４２２，４２６はワイヤ電極１１を挟んで一対設けることが望ましいが、一つのみとすることも可能であるし、３つ以上設けることも可能である。また、ワイヤ電極１１の長手方向に対してずれた位置に配置することが望ましいが、同じ位置に設けることも可能である。
（Ｈ011）前記実施例において、ワイヤクリーナ２２，２６，１２２，１２６，２２２，２２６，３２２，３２６，４２２，４２６の形状は、例示した蒲鉾状や三角形状、台形状等に限定されず、本発明の要旨の範囲で任意に変更が可能である。
（Ｈ012）前記実施例において、ワイヤクリーナ２２，２６，１２２，１２６，２２２，２２６，３２２，３２６，４２２，４２６の弾性層２２ｂ，２６ｂは設けることが望ましいが、研磨層２２ａ，２６ａ，１２２ａ，１２６ａ，２２２ａ，２２６ａ，３２２ａ，３２６ａ，４２２ａ，４２６ａが弾性を有する場合や、クッション性を有する形状の場合は、弾性層２２ｂ，２６ｂを有しない構成とすることも可能である。
【００７５】
（Ｈ013）前記実施例において、電極クリーナ１６の移動中、すなわち清掃動作時に、空気の吸引を行う構成とすることが望ましいが、空気の吸引を行わない構成とすることも可能である。また、例えば、清掃動作時に感光体ドラムＰｙ〜Ｐｋを回転、いわゆる空回転させて感光体ドラムＰｙ〜Ｐｋの表面の特定の位置に汚れが落下しないようにすることも可能であり、空回転と空気の吸引と組み合わせることも可能である。
【符号の説明】
【００７６】
１１…放電電極、
１６…清掃手段、
２１，２４…支持部、
２２，２６，１２２，１２６，２２２，２２６，３２２，３２６，４２２，４２６…清掃部、
ＣＣｙ，ＣＣｍ，ＣＣｃ，ＣＣｋ…放電器、帯電手段、
Ｐｙ，Ｐｍ，Ｐｃ，Ｐｋ…像保持手段、
Ｕ…画像形成装置。
【図１】
2020079869.tif 000003
【図２】
2020079869.tif 000004
【図３】
2020079869.tif 000005
【図４】
2020079869.tif 000006
【図５】
2020079869.tif 000007
【図６】
2020079869.tif 000008
【図７】
2020079869.tif 000009
【図８】
2020079869.tif 000010
【図９】
2020079869.tif 000011
【図１０】
2020079869.tif 000012
【図１１】
2020079869.tif 000013
【図１２】
2020079869.tif 000014
【図１３】
2020079869.tif 000015